(57)【要約】【課題】室外からドアスコープを通して、部外者や不審者などに室内の室内光や人影を確認され、室内の様子、在宅か不在宅かなどの生活パターンを覗われることを防ぎ、不在宅時や就寝時にドアスコープから室内光が洩れないことから、不在宅や就寝中と判断されることを防ぐための点灯機能付きドアスコープ遮蔽器を提供する。【解決手段】任意ドアのドアスコープ接眼部付近に設けられる台座部と、台座部に可動軸により繋がれた遮蔽板と、遮蔽板による遮蔽時にドアスコープ接眼部位置に合うように遮蔽板に内蔵された発光部材と、電源供給手段と、スイッチとよりなることを特徴とした、点灯機能付きドアスコープ遮蔽器。【選択図】図１
2005090207.tif 000002
【特許請求の範囲】
【請求項１】
任意ドアのドアスコープ接眼部付近に設けられる台座部と、台座部に可動軸により繋がれた遮蔽板と、遮蔽板による遮蔽時にドアスコープ接眼部位置に合うように遮蔽板に内蔵された発光部材と、電源供給手段と、スイッチとよりなることを特徴とした、点灯機能付きドアスコープ遮蔽器。
【発明の詳細な説明】
【技術分野】
【０００１】  本発明は、建物に取り付けられた玄関扉などのドアスコープに、簡単に取り付けて室内の様子を外部の部外者や不審者などに覗われないようにすることができ、電球、発光ダイオードなどの点灯機能を点灯することにより不在時や就寝時でも在宅かつ就寝していないかであるかのようにすることができる、点灯機能付きドアスコープ遮蔽器に関するものである。
【背景技術】
【０００２】  従来、室外よりドアスコープを通して、部外者や不審者などが室内の室内光や人影を確認することにより、室内の様子、在宅か不在かなどの生活パターンを覗うことが可能であった。そのため一部では、室内側ドアスコープ接眼部を遮蔽物で塞いだりして、外部よりドアスコープから洩れる室内光や人影を覗えないようにしていた。
【発明の開示】
【発明が解決しようとする課題】
【０００３】  そのために、次のような問題があった。
（イ）  室外からドアスコープを通して、部外者や不審者などに室内の室内光や人影を確認され、室内の様子、在宅か不在かなどの生活パターンを覗われ、プライバシーの保護や防犯面での安全性が保たれないという問題があった。
（ロ）  室内側ドアスコープ接眼部を遮蔽物で塞いだ場合、全く室内光が外部に洩れないため、逆に不在や就寝中と外部部外者や不審者等に勘違いされる事による防犯上の問題があった。そのため外出や外泊する際に防犯のため、在宅、在室であることを装うため故意に室内の電灯などを点灯しドアスコープより室内光を洩らす防犯努力を行う必要があり、電力の無駄な消費をしていた。
本発明は、以上の様な不都合を解決するためになされたものである。
【課題を解決するための手段】
【０００４】  発光部材（６）、電極板（７）、電池（８）、電極兼ＯＮ／ＯＦＦスイッチ（９）を収納した点灯装置内蔵遮蔽板（５）を可動軸（３）を介して台座（２）に繋ぎ、台座（２）裏面に両面粘着材（１）を設ける。
以上を特徴とする点灯機能付きドアスコープ遮蔽器である。
【発明の効果】
【０００５】  点灯機能付きドアスコープ遮蔽器を取り付けることにより、室外からドアスコープを通して、室内を覗われことを防ぎ、プライバシーを護ることが可能な上、点灯機能を使用することにより、ドアスコープ外部から覗いた場合点灯した光が室内光のように見えるため、外出や外泊する際の防犯に役立つ。
【発明を実施するための最良の形態】
【０００６】  以下、本発明の実施の形態について図１を利用して説明する。
本発明は、裏面に両面粘着材（１）を有する台座（２）と、発光部材（６）、電極板（７）、電池（８）、電極兼ＯＮ／ＯＦＦスイッチ（９）を収納部に収納した点灯装置内蔵遮蔽板（５）、及び収納部に対する蓋（１０）と、台座（２）と点灯装置内蔵遮蔽板（５）を繋ぐための可動軸（３）と可動軸受（４）より構成されている。
台座（２）は円盤形状で、その偏芯した箇所に可動軸（３）を通すための貫通孔が設けられる。台座（２）の貫通孔を塞がない大きさの円盤形状の両面粘着材（１）が貫通孔上部に設けられている。
点灯装置内蔵遮蔽板（５）は細長い楕円形状で、発光部材（６）、電極板（７）、電池（８）、電極兼ＯＮ／ＯＦＦスイッチ（９）を収納するための収納部が設けられる。また、点灯装置内蔵遮蔽板（５）の楕円形上部には、可動軸（３）の突起部分２箇所を受けるための貫通孔を２箇所設ける。点灯装置内蔵遮蔽板（５）の楕円形中央部付近に、任意ドアのドアスコープ接眼部の位置に合うように発光部材（６）を設置するための貫通孔が設けられる。
発光部材（６）、電極板（７）、電池（８）、電極兼ＯＮ／ＯＦＦスイッチ（９）は、点灯装置内蔵遮蔽板（５）の収納部に、電極兼ＯＮ／ＯＦＦスイッチ（９）をスライドさせることにより発光部材（６）が電池（８）より電極板（７）と電極兼ＯＮ／ＯＦＦスイッチ（９）を介して電源の供給、遮断が行われることにより、点灯、消灯するように収納され、点灯装置内蔵遮蔽板（５）の形状と合うように製作された、同じく細長い楕円形状の蓋（１０）が点灯装置内蔵遮蔽板（５）と組合わされることにより固定される。
台座（２）と点灯装置内蔵遮蔽板（５）を繋ぐ可動軸（３）は、Ｔ字形状で、そのＴ字形状の横棒突起部分２箇所が、点灯装置内蔵遮蔽板（５）の楕円形上部に設けられた貫通孔２箇所に繋げられ、Ｔ字形状の垂直軸部分は、台座（２）に設けられた可動軸（３）を通すための貫通孔に繋げられて、リング形状をした可動軸受（４）により台座（２）裏面でとめられる。
両面粘着材（１）に関しては、ドアの材質等により磁石や、ドアに孔開け加工が可能な場合にはネジ留めなどの方法を代わりに採用できる。発光部材（６）に関しては、発光ダイオードもしくは電球が使用され、通常の利用目的であれば発光部材（６）の発光色は室内照明に合わせて、昼白色や電球色が採用される。  また、装飾イルミネーションとしての使用を目的とする場合には、発光色を青や赤、緑などにすることも可能である。電極兼ＯＮ／ＯＦＦスイッチの方式に関しては、棒状のスライド式の電極兼ＯＮ／ＯＦＦスイッチ（９）の方式にこだわらず、その他、押しボタン方式や室内の明暗度に反応し自動点消灯するセンサー方式スイッチなどが適宜に採用される。
本発明は以上のような構造で、これを使用するときは、室外より室内の室内光や人影を確認され、室内の様子、在宅か不在かなどの生活パターンを覗われないようにする場合には、点灯装置内蔵遮蔽板（５）、及び蓋（１０）で室内側ドアスコープ接眼部（１１）を塞ぎ、室外を室内より覗く時にはを点灯装置内蔵遮蔽板（５）及び蓋（１０）をスライドし、室内側ドアスコープ接眼部（１１）を開く。
不在時や就寝時でも在宅や就寝していないかであるかのようにしたい場合には、電極兼ＯＮ／ＯＦＦスイッチ（９）をＯＮにして発光部材（６）を点灯させることにより、ドアスコープ外部から覗いた場合点灯した光を室内光のように見せることが可能である。
また、図５に示された対ドア面垂直方向開時概念図のように遮蔽器本体を開いた場合には、室内玄関に対して投光することも可能である。
【図面の簡単な説明】
【０００７】
【図１】実施例概念分解斜視図
【図２】点灯機能付き遮蔽器取り付け時概念図
【図３】点灯機能付き遮蔽器ドア取付け面概念図
【図４】対ドア面水平方向開時概念図
【図５】対ドア面垂直方向開時概念図
【符号の説明】
【０００８】１    両面粘着材
２    台座
３    可動軸
４    可動軸受
５    点灯装置内蔵遮蔽板
６    発光部材
７    電極板
８    電池
９    電極兼ＯＮ／ＯＦＦスイッチ
１０  蓋
１１  室内側ドアスコープ接眼部
【図１】
2005090207.tif 000003
【図２】
2005090207.tif 000004
【図３】
2005090207.tif 000005
【図４】
2005090207.tif 000006
【図５】
2005090207.tif 000007